(57)【要約】【課題】光が差し込む屋外等における携帯端末装置の表示部の視認性を向上するため、及び光によって携帯端末装置に発生する熱害を低減するために、携帯端末装置、及び表示部に入射する光を低減する日除け装置を提供する。【解決手段】日除け装置１００は日除け部１００Ａ、及び携帯端末装置２への取り付け部１００Ｂを備える。１００Ｂには１例としてスポンジ材１００Ｃが取り付けられているものとする。携帯端末装置２をスポンジ材１００Ｃにより挟むことで日除け装置１００を携帯端末装置２に固定する。日除け装置１００は光４が携帯端末装置２に入射することを低減する。日除け装置１００は携帯端末２に対して着脱可能である。【選択図】図２
2015226317.tif 000002
【特許請求の範囲】
【請求項１】
携帯端末装置に入射する光を低減する日除け装置。
【請求項２】
設置対象に対して着脱可能であることを特徴とする請求項１に記載の日除け装置。
【請求項３】
日除け装置において発生する熱が携帯端末装置へ伝達することを低減することを特徴とする請求項１に記載の日除け装置。
【発明の詳細な説明】
【技術分野】
【０００１】  本発明は、日除け装置及び携帯端末装置に関するものである。
【背景技術】
【０００２】  近年、携帯電話機、スマートフォン、ナビゲーション・システム、ネットブック等の携帯型電子機器の普及が著しい。これらの電子機器が備えている表示部の典型としては、液晶表示装置、有機ＥＬ表示装置やタッチパネル型表示装置が挙げられる。【０００３】  これらの表示部における視認性は、技術の進歩により年々向上し、さらに液晶表示パネルを衝突、押圧等の外部からの衝撃からの保護が求められてきている。従来、表示部においては、液晶セルとこの液晶セルを保護する透明の保護パネルとの間には一定厚みの空気層（エアギャップ）が形成されている。【０００４】  このエアギャップは、液晶表示装置やタッチパネル型表示装置が落下時の衝撃等を受けた場合、その衝撃が直接液晶セルに伝わらないように緩衝特性を持たせる目的で設けられているものであるが、特に太陽光があたる屋外では、保護パネルの材料であるアクリル板やガラス板との屈折率の相違等に起因して生ずる光の錯乱が著しくなり、輝度・コントラストが低下するため、表示部が非常に見づらく視認性が低下する。【０００５】  従来、表示部へ光が入射した場合の表示部の視認性を向上させるためには、例えば特許文献１、及び特許文献２における光学フィルムが提案されている。【０００６】  特許文献１には、光学フィルムの課題として耐光性試験後の黄変度が知られている。【０００７】  特許文献２には、光学フィルムには屋外用途では室内用途に比べてさらに厳しい耐久性が求められることが知られている。なかでも光に対する安定性が課題として知られている。【０００８】  表示部へ入射する光により表示部の視認性が低下した場合、表示部に表示されているメニュー又はアイコンの操作性が低下する。【０００９】  特許文献３には、太陽光、木漏れ日等の直射日光が表示部のうちの一部分に入射し、当該部に表示されているメニュー又はアイコンの視認性が低くなる場合、表示部に表示するメニュー又はアイコンの配置を制御し、表示部の操作性を向上する技術を提供している。【００１０】  前述の光が表示部に入射した場合の視認性、及び操作性の低下以外における光による害としては、特に太陽高度が高い時間帯の太陽光が携帯端末装置に入射する場合においてであるが、携帯端末装置の温度上昇により携帯端末装置に熱害が発生する可能性が考えられる。
【先行技術文献】
【特許文献】
【００１１】
【特許文献１】  特開２０１２−２１４５７４号公報
【特許文献２】  特開２０１２−２３４１５９号公報
【特許文献３】  特開２０１２−８４９５２号公報
【発明の概要】
【発明が解決しようとする課題】
【００１２】  前記した通り、表示部に入射する光による表示部の視認性低下を改善する技術が提供されているが、携帯端末装置に入射する光を低減していない、という根本的な課題がある。
【課題を解決するための手段】
【００１３】  携帯端末装置の表示部の視認性を向上する、及び熱害を低減するために、携帯端末装置に入射する光を低減する日除け装置を提供する。
【発明の効果】
【００１４】  本発明の日除け装置によれば、表示部への太陽光、木漏れ日等の直射日光が入射することを低減し、屋外での表示部の視認性を向上する、及び携帯端末装置における熱害を低減することができる。
【図面の簡単な説明】
【００１５】
【図１】  本発明の実施例１に係る日除け装置を装着した携帯端末装置を示す図
【図２】  図１に示した日除け装置の携帯端末装置への装着方法を示す図
【図３】  図１に示した日除け装置の入射光との関係を示す図
【図４】  図１に示した日除け装置の入射光との関係を示す図
【図５】  本発明の実施例２に係る日除け装置を装着した携帯端末装置を示す図
【図６】  本発明の実施例３に係る日除け装置を装着した携帯端末装置を示す図
【図７】  本発明の実施例４に係る日除け装置を装着した携帯端末装置を示す図
【図８】  本発明の実施例４に係る日除け装置の自動車内での使用例を示す図
【発明を実施するための形態】
【００１６】  以下、本発明の実施例を図に基づいて説明する。
【実施例１】
【００１７】  図１は、本発明の実施例１に係る日除け装置１００を装着した携帯端末装置２を示す図である。図１に示すように、本発明の実施例１の携帯端末装置２は、１例としてスマートフォン形式の装置とする。携帯端末装置２は表示部３を備える。表示部３は操作部を兼ねることもある。【００１８】  図２に示すように、日除け装置１００は日除け部１００Ａ、及び携帯端末装置２への取り付け部１００Ｂを備える。１００Ｂには１例としてスポンジ材１００Ｃが取り付けられているものとする。携帯端末装置２をスポンジ材１００Ｃにより挟むことで日除け装置１００を携帯端末装置２に固定する。日除け装置１００は携帯端末装置２に対して着脱可能である。【００１９】  図３に示すように、日除け装置１００は携帯端末装置２へ光４が入射することを低減する。【００２０】  図４に示すように、日除け装置１００は携帯端末装置２へ光４が入射することを低減する。日除け装置１００は入射する光４により温度上昇するが、スポンジ材１００Ｃは多孔質であることから、スポンジ材１００Ｃは日除け装置１００から携帯端末装置２への熱伝達を低減する。
【実施例２】
【００２１】  図５は、本発明の実施例２に係る日除け装置２００を装着した携帯端末装置２を示す図である。図５に示すように、日除け装置２００は日除け部２００Ａ、及び携帯端末装置２への取り付け部２００Ｂを備える。２００Ｂには１例としてスポンジ材２００Ｃが取り付けられているものとする。携帯端末装置２をスポンジ材２００Ｃにより挟むことで日除け装置２００を携帯端末装置２に固定する。日除け装置２００は携帯端末装置２に対して着脱可能である。携帯端末装置２へ光４が入射することの低減については実施例１と同様である。
【実施例３】
【００２２】  図６は、本発明の実施例３に係る日除け装置３００を装着した携帯端末装置２を示す図である。図６に示すように、日除け装置３００は日除け部３００Ａ、及び携帯端末装置２への取り付け部３００Ｂを備える。３００Ｂには１例としてスポンジ材３００Ｃが取り付けられているものとする。携帯端末装置２をスポンジ材３００Ｃにより挟むことで日除け装置３００を携帯端末装置２に固定する。日除け装置３００は携帯端末装置２に対して着脱可能である。前述の実施例１、及び実施例２に比較し、携帯端末装置２への光４の入射をより低減することができる。
【実施例４】
【００２３】  図７は、本発明の実施例４に係る日除け装置４００を装着した携帯端末装置２を示す図である。図７に示すように、日除け装置４００は日除け部４００Ａ、及び携帯端末装置２への取り付け部４００Ｂを備える。４００Ｂには吸盤４００Ｃが取り付けられているものとする。携帯端末装置２の背面に４００Ｃを取り付けることにより、日除け装置４００を携帯端末装置２に固定する。日除け装置４００は携帯端末装置２に対して着脱可能である。携帯端末装置２へ光４が入射することの低減については実施例１と同様である。【００２４】  図８は、本発明の実施例４に係る日除け装置４００の自動車内での使用例を示す図である。自動車室内のインナーパネル部５に吸盤４００Ｃを取り付けることで日除け装置４００をインナーパネル部５に固定する。日除け装置４００はインナーパネル５に対して着脱可能である。携帯端末装置２へ光４が入射することの低減については実施例１と同様である。【００２５】  以上において、日除け装置の携帯端末装置への取り付け例としてスポンジ、吸盤を例示しているが、その他にもマグネットによる貼り付け、クリップによる挟み込み等で代用することが可能である。
【産業上の利用可能性】
【００２６】  本発明は、日除け装置及び携帯端末装置を製造する産業で利用される。
【符号の説明】
【００２７】    １００    日除け装置
１００Ａ  日除け部
１００Ｂ  取り付け部
１００Ｃ  スポンジ材
４００Ｃ  吸盤
２        携帯端末装置
３        表示部
４        光
５        インナーパネル
【図１】
2015226317.tif 000003
【図２】
2015226317.tif 000004
【図３】
2015226317.tif 000005
【図４】
2015226317.tif 000006
【図５】
2015226317.tif 000007
【図６】
2015226317.tif 000008
【図７】
2015226317.tif 000009
【図８】
2015226317.tif 000010